(57)【特許請求の範囲】
【請求項１】
第１のセルにおいて第１のラジオ・アクセス技術（ＲＡＴ）を利用するユーザ機器による無線通信のための方法であって、
第２のＲＡＴを利用する近隣セルに関する情報を前記第１のセルが通知していないのであれば、１または複数の近隣セルにおいて前記第２のＲＡＴによるサービス有効通信範囲を求めて探索することと、
前記第２のＲＡＴを利用する第２のセルを識別することと、
前記第１のセルにキャンプ・オンしている間、前記第２のセルから前記第１のセルへのセル再選択のための基準を、前記第２のＲＡＴを利用する１または複数のセルに接続されている間に収集された格納されたシステム情報に基づいて評価することと、
前記評価に基づいて、前記第２のセルに切り換えるか否かを決定することと、
を備える方法。
【請求項２】
前記評価することは、前記セル再選択のための基準が満足されているか否かを判定することを備え、
前記決定することは、前記セル再選択のための基準が満足されているとの判定に応じて、前記第２のセルに切り換えることを備える、請求項１に記載の方法。
【請求項３】
前記格納されたシステム情報は、１または複数のシステム情報ブロック（ＳＩＢ）から受信された１または複数のパラメータを備える、請求項１に記載の方法。
【請求項４】
前記１または複数の近隣セルにおいて前記第２のＲＡＴによるサービス有効通信範囲を求めて探索することは、設定可能な周期に基づいて、前記１または複数の近隣セルにおける前記第２のＲＡＴによるサービス有効通信範囲を求めて周期的にスキャンすることを備える、請求項１に記載の方法。
【請求項５】
前記第２のＲＡＴのためのサービス有効通信範囲が発見されたか否かに基づいて、前記周期を修正することをさらに備える、請求項４に記載の方法。
【請求項６】
前記第２のＲＡＴを利用する１または複数の近隣セルに関する情報を、前記第１のセルが通知したか否かを判定することをさらに備える、請求項１に記載の方法。
【請求項７】
システム情報２クゥオータ（ＳＩ２Ｑ）メッセージを備える信号を前記第１のセルから受信することと、
前記第２のＲＡＴを利用するセルに関する何れかの情報が、ＳＩ２Ｑメッセージに存在するか否かを判定することと、
をさらに備える請求項６に記載の方法。
【請求項８】
前記評価することはさらに、前記第２のセルの信号強度が、前記第２のセルにキャンプ・オンするための最小信号強度を表す、格納されたしきい値を超えているか否かを判定することを備え、
前記しきい値は、前記第２のセルによって以前に通知されている、請求項１に記載の方法。
【請求項９】
前記セル再選択のための基準が評価されることができないと判定することと、
前記第２のセルへハンドオーバするためハンドオーバ手順を実行することと、
前記第２のセルに関連付けられたシステム情報からの１または複数のパラメータをメモリに格納することと
をさらに備え、
前記格納されたシステム情報は、前記セル再選択のための基準のその後の評価の際に使用される、請求項１に記載の方法。
【請求項１０】
前記セル再選択のための基準が評価されることができないと判定することと、
前記第２のセルに関連付けられたシステム情報を、オーバ・ザ・エアによって受信することと、
前記システム情報を格納することと
をさらに備え、
前記格納されたシステム情報は、後の評価の際に使用される、請求項１に記載の方法。
【請求項１１】
前記第１のＲＡＴは、グローバル移動体通信システム（ＧＳＭ）規格を備え、
前記第２のＲＡＴは、ロング・ターム・イボリューション（ＬＴＥ）規格を備える、請求項１に記載の方法。
【請求項１２】
前記第２のセルは、前記ユーザ機器のサービス提供パブリック・ランド・モバイル・ネットワーク（ＰＬＭＮ）または等価ＰＬＭＮの一部である、請求項１に記載の方法。
【請求項１３】
第１のセルにおいて第１のラジオ・アクセス技術（ＲＡＴ）を利用する無線通信のための装置であって、
第２のＲＡＴを利用する近隣セルに関する情報を前記第１のセルが通知していないのであれば、１または複数の近隣セルにおいて前記第２のＲＡＴによるサービス有効通信範囲を求めて探索する手段と、
前記第２のＲＡＴを利用する第２のセルを識別する手段と、
前記第１のセルにキャンプ・オンしている間、前記第２のセルから前記第１のセルへのセル再選択のための基準を、前記第２のＲＡＴを利用する１または複数のセルに接続されている間に収集された格納されたシステム情報に基づいて評価する手段と、
前記評価に基づいて、前記第２のセルに切り換えるか否かを決定する手段と、
を備える装置。
【請求項１４】
前記評価する手段は、前記セル再選択のための基準が満足されているか否かを判定する手段を備え、
前記決定する手段は、前記セル再選択のための基準が満足されているとの判定に応じて、前記第２のセルに切り換える手段を備える、請求項１３に記載の装置。
【請求項１５】
前記格納されたシステム情報は、１または複数のシステム情報ブロック（ＳＩＢ）から受信された１または複数のパラメータを備える、請求項１３に記載の装置。
【請求項１６】
前記１または複数の近隣セルにおいて前記第２のＲＡＴによるサービス有効通信範囲を求めて探索する手段は、設定可能な周期に基づいて、前記１または複数の近隣セルにおける前記第２のＲＡＴによるサービス有効通信範囲を求めて周期的にスキャンする手段を備える、請求項１３に記載の装置。
【請求項１７】
前記第２のＲＡＴのためのサービス有効通信範囲が発見されたか否かに基づいて、前記周期を修正する手段をさらに備える、請求項１６に記載の装置。
【請求項１８】
前記第２のＲＡＴを利用する１または複数の近隣セルに関する情報を、前記第１のセルが通知したか否かを判定する手段をさらに備える、請求項１３に記載の装置。
【請求項１９】
システム情報２クゥオータ（ＳＩ２Ｑ）メッセージを備える信号を前記第１のセルから受信する手段と、
前記第２のＲＡＴを利用するセルに関する何れかの情報が、ＳＩ２Ｑメッセージに存在するか否かを判定する手段と、
をさらに備える請求項１８に記載の装置。
【請求項２０】
前記評価する手段はさらに、前記第２のセルの信号強度が、前記第２のセルにキャンプ・オンするための最小信号強度を表す、格納されたしきい値を超えているか否かを判定する手段を備え、
前記しきい値は、前記第２のセルによって以前に通知されている、請求項１３に記載の装置。
【請求項２１】
前記セル再選択のための基準が評価されることができないと判定する手段と、
前記第２のセルへハンドオーバするためハンドオーバ手順を実行する手段と、
前記第２のセルに関連付けられたシステム情報からの１または複数のパラメータをメモリに格納する手段と
をさらに備え、
前記格納されたシステム情報は、前記セル再選択のための基準のその後の評価の際に使用される、請求項１３に記載の装置。
【請求項２２】
前記セル再選択のための基準が評価されることができないと判定する手段と、
前記第２のセルに関連付けられたシステム情報を、オーバ・ザ・エアで受信する手段と、
前記システム情報を格納する手段と
をさらに備え、
前記格納されたシステム情報は、その後の評価の際に使用される、請求項１３に記載の装置。
【請求項２３】
前記第１のＲＡＴは、グローバル移動体通信システム（ＧＳＭ）規格を備え、
前記第２のＲＡＴは、ロング・ターム・イボリューション（ＬＴＥ）規格を備える、請求項１３に記載の装置。
【請求項２４】
前記第２のセルは、前記装置のサービス提供パブリック・ランド・モバイル・ネットワーク（ＰＬＭＮ）または等価ＰＬＭＮの一部である、請求項１３に記載の装置。
【請求項２５】
第１のセルにおいて第１のラジオ・アクセス技術（ＲＡＴ）を利用するユーザ機器による無線通信のための命令群を記憶したコンピュータ読取可能な記憶媒体であって、
前記命令群は、１または複数のプロセッサによって実行可能であり、前記命令群は、
第２のＲＡＴを利用する近隣セルに関する情報を第１のセルが通知していないのであれば、１または複数の近隣セルにおいて前記第２のＲＡＴによるサービス有効通信範囲を求めて探索するための命令と、
前記第２のＲＡＴを利用する第２のセルを識別するための命令と、
前記第１のセルにキャンプ・オンしている間、前記第２のセルから前記第１のセルへのセル再選択のための基準を、前記第２のＲＡＴを利用する１または複数のセルに接続されている間に収集された格納されたシステム情報に基づいて評価するための命令と、
前記評価に基づいて、前記第２のセルに切り換えるか否かを決定するための命令と
を備える、コンピュータ読取可能な記憶媒体。
【請求項２６】
第１のセルにおいて第１のラジオ・アクセス技術（ＲＡＴ）を利用する無線通信のための装置であって、
第２のＲＡＴを利用する近隣セルに関する情報を前記第１のセルが通知していないのであれば、１または複数の近隣セルにおいて前記第２のＲＡＴによるサービス有効通信範囲を求めて探索し、
前記第２のＲＡＴを利用する第２のセルを識別し、
前記第１のセルにキャンプ・オンしている間、前記第２のセルから前記第１のセルへのセル再選択のための基準を、前記第２のＲＡＴを利用する１または複数のセルに接続されている間に収集された格納されたシステム情報に基づいて評価し、
前記評価に基づいて、前記第２のセルに切り換えるか否かを決定する、
ように構成された少なくとも１つのプロセッサと、
前記少なくとも１つのプロセッサに接続されたメモリと、
を備える装置。
【発明の詳細な説明】
【優先権主張】
【０００１】
本特許出願は、本明細書において参照によって明確に組み込まれており、本明細書の譲受人に譲渡されている２０１１年６月１７日出願の「ラジオ・アクセス技術探索のための方法および装置」（Methods and Apparatus for Radio Access Technology Search）と題された米国仮出願６１／４９８，４１３号に対する優先権を主張する。
【技術分野】
【０００２】
本開示のある態様は、一般に、無線通信システムに関し、さらに詳しくは、ラジオ・アクセス技術（ＲＡＴ）の探索のための方法および装置に関する。
【背景技術】
【０００３】
無線通信システムは、例えば、音声、データ等のようなさまざまなタイプの通信コンテンツを提供するために広く開発されてきた。これらのシステムは、（例えば、帯域幅および送信電力等のような）利用可能なシステム・リソースを共有することにより、複数のユーザとの通信をサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートしうる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力（ＳＩＳＯ）システム、複数入力単一出力（ＭＩＳＯ）システム、または複数入力複数出力（ＭＩＭＯ）システム等によって確立されうる。
【０００５】
さらに、無線通信システムは、さまざまなラジオ・アクセス技術（ＲＡＴ）をサポートする複数のセルを含みうる。新たなＲＡＴをサポートするために無線通信システムにインフラストラクチャが追加されると、古いＲＡＴと新しいＲＡＴとの間の相互運用問題が発生しうる。そのため、異なるＲＡＴを利用するセル間の移行を管理するための技術および装置に対するニーズがある。
【発明の概要】
【０００６】
本開示のある態様は、第１のセルにおいて第１のラジオ・アクセス技術（ＲＡＴ）を用いるユーザ機器による無線通信のための方法を提供する。この方法は一般に、第２のＲＡＴを利用する近隣セルに関する情報を第１のセルが通知しないのであれば、１または複数の近隣セルにおいて第２のＲＡＴによるサービス有効通信範囲を求めて探索することと、第２のＲＡＴを利用する第２のセルを識別することと、第１のセルにキャンプ・オンしている間、第２のセルから第１のセルへのセル再選択のための基準を評価することと、この評価に基づいて、第２のセルに切り換えるか否かを決定することと、を含む。
【０００７】
本開示のある態様は、第１のセルにおいて第１のラジオ・アクセス技術（ＲＡＴ）を利用する無線通信のための装置を提供する。この装置は一般に、第２のＲＡＴを利用する近隣セルに関する情報を第１のセルが通知しないのであれば、１または複数の近隣セルにおいて第２のＲＡＴによるサービス有効通信範囲を求めて探索する手段と、第２のＲＡＴを利用する第２のセルを識別する手段と、第１のセルにキャンプ・オンしている間、第２のセルから第１のセルへのセル再選択のための基準を評価する手段と、この評価に基づいて、第２のセルに切り換えるか否かを決定する手段と、を含む。
【０００８】
ある態様は、第１のセルにおいて第１のラジオ・アクセス技術（ＲＡＴ）を利用するユーザ機器による無線通信のためのコンピュータ・プログラム製品を提供する。このコンピュータ・プログラム製品は、格納された命令群を有するコンピュータ読取可能な媒体を備え、これら命令群は、１または複数のプロセッサによって実行可能である。これら命令群は一般に、第２のＲＡＴを利用する近隣セルに関する情報を第１のセルが通知しないのであれば、１または複数の近隣セルにおいて第２のＲＡＴによるサービス有効通信範囲を求めて探索するための命令群と、第２のＲＡＴを利用する第２のセルを識別するための命令群と、第１のセルにキャンプ・オンしている間、第２のセルから第１のセルへのセル再選択のための基準を評価するための命令群と、この評価に基づいて、第２のセルに切り換えるか否かを決定するための命令群と、を含む。
【０００９】
本開示のある態様は、第１のセルにおいて第１のラジオ・アクセス技術（ＲＡＴ）を利用する無線通信のための装置を提供する。この装置は、一般に、少なくとも１つのプロセッサと、少なくとも１つのプロセッサに接続されたメモリとを含む。少なくとも１つのプロセッサは、第２のＲＡＴを利用する近隣セルに関する情報を第１のセルが通知しないのであれば、１または複数の近隣セルにおいて第２のＲＡＴによるサービス有効通信範囲を求めて探索し、第２のＲＡＴを利用する第２のセルを識別し、第１のセルにキャンプ・オンしている間、第２のセルから第１のセルへのセル再選択のための基準を評価し、この評価に基づいて、第２のセルに切り換えるか否かを決定する、ように構成される。
【図面の簡単な説明】
【００１０】
本開示の前述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、本開示の範囲を限定するものとしては考慮されないことが注目されるべきである。
【図１】図１は、多元接続無線通信システムを例示する。
【図２】図２は、通信システムのブロック図である。
【図３】図３は、本開示のある態様にしたがって無線デバイス内で利用されうるさまざまな構成要素を例示する。
【図４】図４は、本開示のある態様にしたがって、ラジオ・アクセス技術（ＲＡＴ）を求めて探索するために、無線デバイスによって実行されうる動作の例を例示する。
【図５】図５は、本開示のある態様にしたがって、ＵＥのメモリに格納されうる情報の例を例示する。
【図６】図６は、本開示のある態様にしたがって、無線ネットワークにおけるロング・ターム・イボリューション（ＬＴＥ）有効通信範囲とグローバル移動体通信システム（ＧＳＭ（登録商標））有効通信範囲とのトポロジの例を例示する。
【図７】図７は、本開示のある態様にしたがって、高い優先度のＲＡＴ探索を利用する通信システムの例を例示する。
【発明を実施するための形態】
【００１１】
無線多元接続通信システムは、複数のラジオ・アクセス技術（ＲＡＴ）をサポートしうる。ＲＡＴの例は、例えば、ユニバーサル・モバイル・テレコミュニケーション・システム（ＵＭＴＳ）、グローバル移動体通信システム（ＧＳＭ）、ｃｄｍａ２０００、ＷｉＭＡＸ、ＷＬＡＮ（例えば、ＷｉＦｉ）、ブルートゥース、ロング・ターム・イボリューション（ＬＴＥ）、ＬＴＥ−アドバンスト等を含む。より新しいＲＡＴがリリースされると、新たなＲＡＴおよびプロトコルをサポートするために、無線通信システムのインフラストラクチャが増強されうる。さらに、（例えば、ＧＳＭとＬＴＥとの間のように）レガシーＲＡＴと現在のＲＡＴとの間の相互運用性をサポートするために、無線通信システムの既存のインフラストラクチャが更新されうる。しかしながら、ある場合には、アップグレードされたシステムが、アップグレードされていないシステムとオーバラップし、これが、相互運用問題を引き起こしうる。
【００１２】
例えば、ＬＴＥシステムは、古いレガシーＧＳＭ  ＥＤＧＥラジオ・アクセス・ネットワーク（ＧＥＲＡＮ）構成とオーバアップしうる。ここで、ＥＤＧＥは、ＧＳＭイボリューションのために高められたデータ・レートを意味し、オペレータは、ＧＳＭからＬＴＥへのＲＡＴ間移行をサポートするために、既存のインフラストラクチャをアップグレードしていないことがありうる。言い換えれば、これらレガシー・ネットワークにおけるＧＥＲＡＮ基地局は、ＵＥをＬＴＥサービスへ向けず、例えばシステム情報２クゥオータ（ＳＩ２Ｑ）メッセージのようなシステム・ブロードキャスト・チャネルにおけるセル再選択情報またはＬＴＥ近隣情報を、ブロードキャストしない場合がありうる。しかしながら、これらエリアでは、ＬＴＥシステムは、未だにＬＴＥからＧＳＭへのＲＡＴ間移動をサポートしうる。したがって、このようなネットワークでは、ユーザ機器（ＵＥ）が、例えばセル再選択、リダイレクション、セル変更命令（ＣＣＯ：cell change orders）、またはサービス外（ＯＯＳ：out-of-service）移動挙動によって、ＬＴＥからＧＳＭへ移行するはずであった場合、ＵＥは、ＵＥがＧＳＭ有効通信範囲を失うか、または、電力サイクルされるまで、ＬＴＥサービスへ戻らないことがありうる。したがって、ＲＡＴインタワーキングを欠いているエリアにおけるＲＡＴ間移行を管理する、改善された装置および技術に対するニーズがある。ある態様によれば、サービス提供ＰＬＭＮ内の周期的な高い優先度のＲＡＴ探索およびスキャンのための方法および装置が提供される。
【００１３】
以下の詳細な記載の目的のために、ＬＴＥおよびＧＳＭをサポートするユーザ機器を含む無線通信システムが記載されているが、以下に提供されているある態様は、上記リストしたものを含む複数のＲＡＴのさまざまな組み合わせをサポートするユーザ機器のその他の構成に適用されうる。さらに、本開示のある態様は、一般に、ＬＴＥよりも低い優先度を有するレガシーＲＡＴとしてＧＳＭを称しているが、ある態様は、ＧＳＭが、ＬＴＥと等しいまたはＬＴＥよりも高い優先度を与えられうる場合に拡張されうることが理解される。さらに、一般に、提案された技術は、無線ネットワークにおけるその他任意の低い優先度のＲＡＴから、高い優先度のＲＡＴへの移行のために使用されうる。
【００１４】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ｃｄｍａ２０００は、「第３世代パートナシップ計画２」（３ＧＰＰ２）と命名された団体からの文書に記載されている。明確化のために、これら技術のある態様は、以下において、ＬＴＥに関して記載されており、ＬＴＥ用語が以下の説明の多くで使用される。
【００１５】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）、またはイボルブドＵＴＲＡ、および／または、ＬＴＥアドバンストにおけるアップリンク多元接続スキームのための動作仮定である。
【００１６】
アクセス・ポイント（“ＡＰ”）は、ノードＢ、ラジオ・ネットワーク・コントローラ（“ＲＮＣ”）、ｅノードＢ、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００１７】
アクセス端末（“ＡＴ”）は、無線端末、ユーザ端末、ユーザ・エージェント、ユーザ・デバイス、ユーザ機器（ＵＥ）、ユーザ局、加入者局、加入者ユニット、移動局、遠隔局、遠隔端末、または、その他いくつかの用語を備えうるか、これらとして実現されうるか、これらとして知られうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書に記載された１または複数の態様は、電話（例えば、セルラ電話またはスマート・フォン）、コンピュータ（例えば、ラップトップ）、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム・デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００１８】
図１に示すように、１つの態様にしたがった多元接続無線通信システムが例示される。アクセス・ポイント（ＡＰ）１００は、１つは１０４および１０６を含み、別の１つは１０８および１１０を含み、さらに別の１つは１１２および１１４を含む複数のアンテナ・グループを含む。図１では、おのおののアンテナ・グループについて２本のアンテナしか示されていない。しかしながら、おのおののアンテナ・グループについて、２本より多いまたは少ないアンテナが利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０４，１０６と通信しており、アンテナ１０４，１０６は、順方向リンク１２６でアクセス端末１２２へ情報を送信し、逆方向リンク１２４でアクセス端末１２２から情報を受信する。周波数分割デュプレクス（ＦＤＤ）システムでは、通信リンク１１８，１２０，１２４，１２６は、通信のために異なる周波数を使用しうる。例えば、順方向リンク１２０は、逆方向リンク１１８によって使用されるものとは異なる周波数を使用しうる。
【００１９】
通信するように設計された領域および／またはアンテナのおのおののグループは、しばしば、アクセス・ポイントのセクタと称される。図１に示す態様では、おのおののアンテナ・グループは、アクセス・ポイント１００によってカバーされる領域の１つのセクタ内のアクセス端末へ通信するように設計される。図１は、アクセス・ポイント１００の有効通信範囲エリアが、３つのセクタ１３０，１３２，１３４へ分割されていることを示す。アクセス端末１１６は、アクセス・ポイント１００のセクタ１３０と通信し、アクセス端末１２２は、セクタ１３４と通信している。セクタ１３２は、図１に図示された態様では、非サービス提供セクタである。
【００２０】
順方向リンク１２０および１２６による通信では、アクセス・ポイント１００の送信アンテナは、別のアクセス端末１１６，１２２のための順方向リンクの信号対雑音比（ＳＮＲ）を改善するためにビームフォーミングを利用しうる。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２１】
図２は、ＭＩＭＯシステム２００における送信機システム２１０（アクセス・ポイントとしても知られている）および受信機システム２５０（アクセス端末としても知られている）の態様のブロック図である。送信機システム２１０では、多くのデータ・ストリームのトラフィック・データが、データ・ソース２１２から送信（ＴＸ）データ・プロセッサ２１４に提供される。
【００２２】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２３】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。各データ・ストリームの多重化されたパイロットおよび符号化されたデータは、その後、変調シンボルを提供するためにデータ・ストリームについて選択された特定の変調スキーム（例えば、バイナリ・フェーズ・シフト・キーイング（ＢＰＳＫ）、直交フェーズ・シフト・キーイング（ＱＰＳＫ）、Ｍ−ＰＳＫ、またはＭ−ＱＡＭ（直交振幅変調）、ここでＭは、２の累乗である）に基づいて変調（すなわち、シンボル・マップ）される。おのおののデータ・ストリームのデータ・レート、符号化、および変調は、メモリ２３２に接続されうるプロセッサ２３０によって実行される命令群によって決定されうる。
【００２４】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある態様では、ＴＸ  ＭＩＭＯプロセッサ２２０は、データ・ストリームのシンボル、および、このシンボルが送信されるアンテナへ、ビームフォーミング重みを適用する。
【００２５】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２６】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２７】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００２８】
メモリ２７２に接続されうるプロセッサ２７０は、どのプリコーディング行列を使用するのかを定期的に決定する。さらに、プロセッサ２７０は、行列インデクス部およびランク値部を備えた逆方向リンク・メッセージを規定する。これら逆方向リンク・メッセージは、通信リンクおよび／または受信データ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００２９】
送信機システム２１０では、受信機システム２５０からの変調された信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。さらに、プロセッサ２３０は、ビームフォーミング重みを決定するためにどのプリコーディング行列を使用するかを決定し、この抽出されたメッセージを処理する。
【００３０】
プロセッサ２３０およびプロセッサ２７０は、基地局２１０およびモバイル・デバイス２５０それぞれにおける動作を指示（例えば、制御、調整、管理等）する。プロセッサ２３０およびプロセッサ２７０はそれぞれ、プログラム・コードおよびデータを格納するメモリ２３２およびメモリ２７２に関連付けられうる。プロセッサ２３０およびプロセッサ２７０はまた、アップリンクおよびダウンリンクそれぞれのための周波数およびインパルス応答推定値を導出する計算をも実行する。あるプロセッサ・モジュールが、ある実施形態では存在せず、あるいは、本明細書に例示されていない追加のプロセッサが存在できるように、すべての「プロセッサ」機能が、処理モジュール間を移動しうる。
【００３１】
（本明細書で開示されたすべてのデータを格納している）メモリ２３２およびメモリ２７２は、揮発性メモリまたは不揮発性メモリの何れかでありうる。あるいは、揮発性部分と不揮発性部分との両方を含むことができ、固定型、リムーバブルでありうるか、または、固定部分とリムーバブル部分との両方を含みうる。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定することなく、例示によれば、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形態で利用可能である。ある実施形態のメモリは、限定される訳ではないが、これらおよびその他任意の適切なタイプのメモリを備えることが意図されている。
【００３２】
ある態様によれば、受信機システム２５０は、複数のＲＡＴをサポートするように構成されうる。ある態様によれば、受信機システム２５０は、ＧＳＭを備える第１のＲＡＴと、ＬＴＥを備える第２のＲＡＴとをサポートするように構成されうる。ある態様によれば、例えばプロセッサ２７０およびＴＸデータ・プロセッサ２３８のような受信機システム２５０のさまざまな構成要素が、本明細書に記載されたような高い優先度のＲＡＴの周期的な探索のための技術を実施するように構成されうる。ある態様によれば、プロセッサ２７０は、ＧＳＭセルにキャンプ・オンしている間、ＬＴＥセルからＧＳＭセルへのセル再選択のための基準を評価するように構成されうる。ある態様によれば、プロセッサ２７０は、この評価に基づいて、ＬＴＥセルへの接続を開始するように構成されうる。
【００３３】
論理チャネルは、一般に、制御チャネルおよびトラフィック・チャネルへ分類されることが理解される。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１またはいくつかのＭＴＣＨのためのマルチメディア・ブロードキャストおよびマルチキャスト・サービス（ＭＢＭＳ）スケジューリングおよび制御情報を送信するために使用されるポイント・トゥ・マルチポイントＤＬチャネルであるマルチキャスト制御チャネル（ＭＣＣＨ）とを備える。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために１つのＵＥに専用のポイント・トゥ・ポイント双方向チャネルである専用トラフィック・チャネル（ＤＴＣＨ）を備える。また、マルチキャスト・トラフィック・チャネル（ＭＴＣＨ）は、トラフィック・データを送信するためのポイント・トゥ・マルチポイントＤＬチャネルである。
【００３４】
さらに、伝送チャネルは、ＤＬおよびＵＬに分類されることが理解される。
【００３５】
ＤＬチャネルは、ブロードキャスト・チャネル（ＢＣＨ）と、ダウンリンク共有データ・チャネル（ＤＬ−ＳＤＣＨ）と、ページング・チャネル（ＰＣＨ）とを備え、ＵＥ電力節電のためのＰＣＨ（不連続受信（ＤＲＸ）サイクルがネットワークによってＵＥへ示される）が、セル全体でブロードキャストされ、別の制御／トラフィック・チャネルのために使用されうるＰＨＹリソースへマップされうる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３６】
ＤＬ  ＰＨＹチャネルは以下を備える。  
共通パイロット・チャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
アクノレッジメント・チャネル（ＡＣＫＣＨ）  
ＤＬ物理共有データ・チャネル（ＤＬ−ＰＳＤＣＨ）  
ＵＬ電力制御チャネル（ＵＰＣＣＨ）  
ページング・インジケータ・チャネル（ＰＩＣＨ）  
負荷インジケータ・チャネル（ＬＩＣＨ）
ＵＬ  ＰＨＹチャネルは以下を備える。  
物理ランダム・アクセス・チャネル（ＰＲＡＣＨ）  
チャネル品質インジケータ・チャネル（ＣＱＩＣＨ）  
アクノレッジメント・チャネル（ＡＣＫＣＨ）  
アンテナ・サブセット・インジケータ・チャネル（ＡＳＩＣＨ）  
共有要求チャネル（ＳＲＥＱＣＨ）  
ＵＬ物理共有データ・チャネル（ＵＬ−ＰＳＤＣＨ）  
ブロードキャスト・パイロット・チャネル（ＢＰＩＣＨ）
陸上モバイル・テレコミュニケーション・サービスを大衆に提供するとの具体的な目的のために、アドミニストレーションまたは認識されたプライベート・オペレーティング・エージェンシ（ＲＰＯＡ：Recognized Private Operating Agency）によってパブリック・ランド・モバイル・ネットワーク（ＰＬＭＮ）が確立され、動作されうる。
【００３７】
ＰＬＭＮは、一般に、１つの国における１つのネットワーク・オペレータによって動作されうるモバイル・ネットワークである。ホーム・パブリック・ランド・モバイル・ネットワーク（ＨＰＬＭＮ）は、ＰＬＭＮアイデンティティのモバイル国コード（ＭＣＣ）とモバイル・ネットワーク・コード（ＭＮＣ）とが、国際モバイル加入者アイデンティティ（ＩＭＳＩ）または定義された等価ＨＰＬＭＮ（ＥＨＰＬＭＮ）のＭＣＣおよびＭＮＣと同じである場合におけるＰＬＭＮである。国際モバイル加入者アイデンティティ（ＩＭＳＩ）は、各モバイル電話ユーザに関連付けられたユニークな番号である。ＩＭＳＩは、電話の内部の加入者アイデンティティ・モジュール（ＳＩＭ）に格納され、電話によってネットワークへ送信される。ＩＭＳＩは、主に、加入者によるパブリック・ランド・モバイル・ネットワーク（ＰＬＭＮ）の使用に関する情報を取得することが意図されている。等価ホーム・パブリック・ランド・モバイル・ネットワーク（ＥＨＰＬＭＮ）は、ホームＰＬＭＮ（ＨＰＬＭＮ）に等価であるものとして、モバイル端末のユニバーサル加入者アイデンティティ・モジュール（ＵＳＩＭ）にリストされた任意のＰＬＭＮでありうる。いずれのＥＨＰＬＭＮも、すべてのネットワーク選択手順およびセル選択手順におけるＨＰＬＭＮとして取り扱われうる。
【００３８】
（典型的な周期的な高優先度ＲＡＴ探索）  
前述したように、例えばＧＳＭのようなより古いレガシー・ネットワークは、オーバラップしているより新しいネットワーク（例えば、ＬＴＥネットワーク）とともに動作するように構成されていない場合がありうる。例えば、これらのレガシー・ネットワークは、新たなネットワークにおける近隣セルに関する情報を通知しない場合がありうる。その結果、これらレガシー・ネットワークにキャンプ・オンされているＵＥは、その近隣の新たなネットワークの利用可能性に気付かない場合がありうる。例えば、レガシーＧＳＭネットワークが、新たなＬＴＥネットワークとオーバラップしている場合、レガシーＧＳＭネットワークは、更新されたＧＳＭネットワークがするであろうように、ＧＳＭネットワークにすでにキャンプ・オンされたＵＥへ、近隣のＬＴＥセルを通知しない場合がありうる。したがって、ＵＥは、ＬＴＥ近隣セルを認識しない場合がありうる。この制限を克服し、（例えばＬＴＥネットワークのような）新たなネットワークへＵＥがキャンプ・オンする機会を与えるために、ＵＥは、ある態様にしたがって、（例えば、ＬＴＥサービスのような）新たなネットワークからのサービスを自動的に要求するように構成されうる。ＵＥは、新たなネットワークの下で動作するセルを発見すると、それにキャンプ・オンしうる。
【００３９】
本開示のドキュメントでは、説明を簡単にするために、これら例のほとんどは、レガシー・ネットワークとしてのＧＳＭを称しており、新たなネットワークとしてＬＴＥを称していることが注目されるべきである。しかしながら、当業者であれば、その他任意の古いＲＡＴ（例えば、第２世代（２Ｇ））が、ＧＳＭネットワークの代わりに使用され、ネットワークの第３世代、第４世代、またはより新たな世代のその他任意のネットワークが、提案された高い優先度のＲＡＴ探索においてＬＴＥの代わりに使用されうることを認識するであろう。これらのすべては、本開示のスコープ内にあるだろう。
【００４０】
図３は、図１に例示される無線通信システム内で適用されうる無線デバイス３０２内で利用できるさまざまな構成要素を示す。無線デバイス３０２は、本明細書で説明されるさまざまな方法を実施するために構成されうるデバイスの例である。無線デバイス３０２は、図１のユーザ端末１１６，１２２のうちの何れか、または、基地局１００でありうる一方、以下の記載は、ＵＥ３０２として無線デバイス３０２を交換可能に称しうる。
【００４１】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。しかしながら、追加および／またはその他のメモリが適用されうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００４２】
無線デバイス３０２はまた、無線デバイス３０２と遠隔位置との間でのデータの送信および受信を可能にする送信機３１０および受信機３１２を含みうるハウジング３０８を含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００４３】
無線デバイス３０２は、トランシーバ３１４によって受信された信号を検出し、そのレベルを定量化する目的で使用される信号検出器３１８をも含むことができる。信号検出器３１８は、合計エネルギ、シンボル毎のサブキャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４４】
無線デバイス３０２のさまざまな構成要素を、データ・バスに加えて電力バス、制御信号バス、およびステータス信号バスを含むことができるバス・システム３２２によってともに結合することができる。
【００４５】
ある態様によれば、ＵＥ３０２の信号検出器３１８は、レガシー・セル（例えば、ＧＭＳセル）にキャンプ・オンしている間、提案された高い優先度のＲＡＴ探索手順を用いて、新たなネットワーク（例えば、ＬＴＥ）からのサービスを求めて周期的にスキャンするように構成されうる。３ＧＰＰ  ＴＳ．２３．１２２探索で定義されているような現在の高い優先度のＰＬＭＮスキャン手順は、高い優先度の非等価なＰＬＭＮにおいてのみにおいてサービスを求めて探索する。ある態様によれば、提案された高い優先度のＲＡＴ探索手順は、同じＰＬＭＮ（例えば、ＨＰＬＭＮ）または等価ＰＬＭＮ（例えば、ＥＨＰＬＭＮ）において高い優先度のＲＡＴにおけるサービスを探索しうる。提案された高い優先度のＲＡＴ探索は、高い優先度のＰＬＭＮスキャン（例えば、ＢＰＬＭＮ（ｂｅｔｔｅｒ−ＰＬＭＮ）探索機能）のために定義されたものと類似の手順を使用しうるが、これら手順を、ＨＰＬＭＮまたはＥＨＰＬＭＮにおいて使用されるように拡張しうる。
【００４６】
ある態様の場合、ＵＥは、サービス提供ＰＬＭＮおよび／または等価ＰＬＭＮにおいて、高い優先度のＲＡＴ（例えば、ＬＴＥ）サービスを求めて周期的に探索するように構成されうる。したがって、たとえ無線デバイスが、利用可能な最高の優先度のＰＬＭＮにすでにキャンプ・オンされている場合であっても、ＵＥ３０２は、ＬＴＥサービスを探索するように構成されうる。ある態様の場合、最高の優先度のＰＬＭＮは、ホームＰＬＭＮを含みうる。
【００４７】
図４は、本開示のある態様にしたがって、ＲＡＴ間移行を管理するために、ユーザ機器によって実行されうる動作４００の例を例示する。ＵＥは、第１のＲＡＴを利用する第１のセルによってサービス提供されうる。この動作４００は、４０２において始まる。ここでは、第２のＲＡＴを利用する近隣セルに関する情報を第１のセルが通知しないのであれば、ＵＥは、１または複数の近隣セルにおける第２のＲＡＴによるサービス有効通信範囲を求めて探索しうる。ある態様によれば、第１のＲＡＴは、ＧＳＭを備え、第２のＲＡＴは、ＬＴＥを備えうる。４０４では、ＵＥは、第２のＲＡＴを利用する第２のセルを識別しうる。４０６では、ＵＥは、第１のセルにキャンプ・オンしている間に、第２のセルから第１のセルへのセル再選択のための基準を評価しうる。４０８では、ＵＥは、この評価に基づいて、第２のセルに切り換えるか否かを決定しうる。ある態様によれば、ＵＥは、セル再選択基準が満たされているか否かを判定するように構成されうる。そして、セル再選択基準が満たされていないとの判定に応じて、第２のセルに切り換えるように構成されうる。
【００４８】
ある態様によれば、ＵＥ３０２は、周期的なスキャンを実行している間、または、高い優先度のＲＡＴにおけるサービスを探索している間、高い優先度のＲＡＴを決定するために使用されうるＲＡＴの優先度リスト（例えば、ＲＡＴ＿Ｐｒｉｏｒｉｔｙ＿Ｌｉｓｔ）を保持しうる。例として、ＵＥに格納されるＲＡＴ＿Ｐｒｉｏｒｉｔｙ＿Ｌｉｓｔは、ＵＥが通信することができる新たなすべてのネットワークのリストを含みうる。例えば、ＲＡＴ＿Ｐｒｉｏｒｉｔｙ＿Ｌｉｓｔは、ＬＴＥネットワークを含みうる。
【００４９】
ある態様によれば、ＵＥはまた、設定可能なＰＬＭＮのリスト（例えば、ＨＰ＿ＲＡＴ＿ＰＬＭＮ）を保持しうる。ここでは、本明細書に記載された提案された高い優先度のＲＡＴ探索機能が適用される。例えば、現在のＰＬＭＮが、ＨＰ＿ＲＡＴ＿ＰＬＭＮリストに格納されたＰＬＭＮのうちの１つである場合、ＵＥは、提案された高い優先度のＲＡＴ探索手順を使用しうる。
【００５０】
ある態様によれば、ＵＥ３０２はまた、設定可能なＲＡＴのリスト（例えば、ＨＰ＿ＲＡＴ＿Ｓｃａｎ＿Ｌｉｓｔ）を保持しうる。ここでは、提案された高い優先度のＲＡＴ探索機能が適用されうる。ＨＰ＿ＲＡＴ＿Ｓｃａｎ＿Ｌｉｓｔは、ＵＥがキャンプ・オンされているのであれば、レガシー（すなわち、古い）ネットワークのリストを含んでおり、ＵＥは、提案された高い優先度のＲＡＴ探索を実行しなければならない。例えば、設定可能なＨＰ＿ＲＡＴ＿Ｓｃａｎ＿Ｌｉｓｔは、ＧＳＭ  ＲＡＴを含みうる。
【００５１】
図５は、本開示のある態様にしたがって、ＵＥ３０２のメモリ３０６に格納されうる情報の例を例示する。例示されるように、メモリは、高い優先度のＲＡＴ探索手順のために使用されうるパラメータを格納するために、ＲＡＴ＿Ｐｒｉｏｒｉｔｙ＿Ｌｉｓｔ５０２、ＨＰ＿ＲＡＴ＿ＰＬＭＮ５０４、ＨＰ＿ＲＡＴ＿Ｓｃａｎ＿Ｌｉｓｔ５０６、およびローカル・キャッシュ５０８を含みうる。例として、ＲＡＴ＿Ｐｒｉｏｒｉｔｙ＿Ｌｉｓｔ５０２は、ＬＴＥ  ＲＡＴを含みうる。ＨＰ＿ＲＡＴ＿ＰＬＭＮ５０４リストは、２つの異なるＰＬＭＮ（例えば、ＰＬＭＮ１とＰＬＭＮ２）の名前を含みうる。ＨＰ＿ＲＡＴ＿Ｓｃａｎ＿Ｌｉｓｔ  ５０６は、ＧＳＭ  ＲＡＴを含みうる。また、ローカル・キャッシュ５０８は、近隣セル（例えば、ｅＮＢ１およびｅＮＢ２）に関するシステム情報を含みうる。本明細書に記載されるように、ＵＥ３０２は、高い優先度のＲＡＴ探索手順を実行するために、メモリ３０６に格納された情報を使用しうる。
【００５２】
図５に例示された例では、ＨＰ＿ＲＡＴ＿Ｓｃａｎ＿Ｌｉｓｔ５０６は、ＧＳＭ  ＲＡＴを含んでいる。また、ＲＡＴ＿Ｐｒｉｏｒｉｔｙ＿Ｌｉｓｔ５０２は、ＬＴＥ  ＲＡＴを含んでいる。ＵＥがＰＬＭＮ１ネットワークにあり、ＧＳＭ  ＲＡＴにキャンプ・オンされている場合、たとえＬＴＥがＧＳＭネットワークにおける近隣のリストにおいて通知されない場合であっても、ＵＥは、ＬＴＥサービスを探索するために、高い優先度のＲＡＴ探索手順を実行するだろう。ある態様によれば、ＵＥは、アイドル・モードにある場合、高い優先度のＲＡＴ探索手順を実行しうる。
【００５３】
ＬＴＥサービスを求めて周期的にスキャンすることは、ＵＥ３０２の待機時間およびバッテリ寿命に悪影響を与えうることが注目されねばならならい。したがって、提案された高い優先度のＲＡＴ探索は、規制および／または制限されうる。ある態様の場合、この周期的なスキャンは、このような挙動が望まれるＰＬＭＮに制限されうる。例えば、ＰＬＭＮが、何れのレガシー・ネットワークも有していない場合、本明細書に記載されたような周期的な探索機能を実行する必要はない。高い優先度のサービスを求める周期的なスキャンは、レガシー・ネットワーク（例えばＧＳＭ）を有するＰＬＭＮにおいて使用されうる。ある態様の場合、このような周期的なスキャンは、新たなネットワーク（例えば、ＬＴＥ近隣）を利用する近隣のリストがブロードキャストされないこれらＰＬＭＮにおけるレガシー・セルに制限されうる。
【００５４】
ある態様によれば、ＵＥは、周期的な高い優先度のＲＡＴ探索機能の周期を管理する、設定可能なタイマを維持しうる。したがって、高い優先度のＲＡＴ探索の周期が設定されうる。１つの態様では、高い優先度のＲＡＴ探索タイマは、ＢＰＬＭＮタイマ（例えば、６分）と同時でありうる。ある態様によれば、ＵＥが新たなセルにキャンプ・オンされた場合には常に、高い優先度のＲＡＴ探索タイマが再起動されうる。態様では、ＵＥは、メモリ３０６内のＨＰ＿ＲＡＴ＿Ｓｃａｎ＿Ｐｅｒｉｏｄと呼ばれるリストに、１または複数の設定可能なタイマに関する情報を格納しうる。
【００５５】
ある態様によれば、タイマの終了時、現在のＰＬＭＮが、周期的な高い優先度のＲＡＴ探索が適用されうる、設定可能なＰＬＭＮのリスト（例えば、ＨＰ＿ＲＡＴ＿ＰＬＭＮ）にある場合、ＵＥは、高い優先度のＲＡＴ探索を実行しうる。例えば、現在のＲＡＴがＧＳＭである場合、および／または、現在キャンプされているＧＳＭセルがどのＬＴＥ近隣も通知していない場合、または、現在キャンプされているＧＳＭセルがシステム情報２クゥオータ（ＳＩ２Ｑ）メッセージをブロードキャストしていない場合、ＵＥは、高い優先度のＲＡＴ探索を実行しうる。
【００５６】
ある態様の場合、周期的なタイマは、（例えば、探索に失敗すると）高い優先度のＲＡＴ探索の結果に基づいて、タイマを（例えば、動的に）設定するためにバック・オフ・スキームを利用しうる。例えば、ＵＥは、ＧＳＭセルにキャンプ・オンした場合、初期値ｘを有するタイマを起動しうる。時間ｘ後のタイマの終了時に、ＵＥは、ＬＴＥサービスを求めて探索する。ＬＴＥサービスが発見されない場合、ＵＥは、より大きな初期値（例えば、値２ｘ）を有するタイマを起動しうる。時間２ｘ後のタイマの終了時に、ＵＥは、いくぶん大きな初期値（例えば、値Ｎｘ）を有するタイマを起動する等を行う。ここでＮは、次第に大きくなる数である。別の態様の場合、この周期的なタイマは、指数関数的にバック・オフされうる。
【００５７】
ある態様によれば、ＵＥ３０２は、このような周期的なスキャンを許容可能であると示したＰＬＭＮにおいて、高い優先度のＲＡＴを求めて周期的にスキャンするように構成されうる。ＵＥ３０２は、すべての可能な近隣ＲＡＴからなる完全なリストをブロードキャストしないレガシー・セル（例えば、ＧＳＭセル）を有する設定可能なＰＬＭＮのリストを保持しうる。例えば、レガシー・セルは、新たなＲＡＴのうちのいくつかに関する情報（例えば、ＬＴＥ近隣に関する情報）をブロードキャストしない場合がありうる。
【００５８】
態様によれば、ＵＥは、高い優先度のＲＡＴとの相互運用性／インタワーキングをサポートしないセル、または、これら高い優先度のＲＡＴに関する情報を通知しないセル、にキャンプしている間、周期的な高い優先度のＲＡＴ探索を実行するようにさらに構成されうる。ある態様によれば、ＵＥ３０２は、新たなＲＡＴ（例えば、ＬＴＥ近隣）のうちのいくつかをブロードキャストおよび／または通知しない探索許可されたＰＬＭＮにおいてキャンプされたセルを判定しうる。例えば、１つの実施では、システム情報２クゥオータ（ＳＩ２Ｑ）ブロードキャスト・メッセージの欠如は、ＧＳＭセルが、このタイプのメッセージ（すなわち、ＳＩ２Ｑ）をブロードキャストできないことと、推論によって、ＧＳＭセルが、近隣に存在しうるＬＴＥサービスで情報をブロードキャストできないこととを、ＵＥ３０２へ示しうる。ＳＩ２Ｑメッセージは、他のＲＡＴによって使用されている周波数およびセルのリストを提供するために、ネットワークによって定期的にブロードキャストされうる。このリストは、別のセルを選択するか否かを決定するためにＵＥによって使用されうる。
【００５９】
一方、ＬＴＥ近隣をリストしないＳＩ２Ｑブロードキャスト・メッセージが存在することは、ＧＳＭセル／基地局がこのタイプのメッセージをブロードキャストできることと、このエリアには本当にどのＬＴＥサービスも存在しない場合がありうることと、をＵＥ３０２に示しうる。しかしながら、ＳＩ２Ｑは、ＬＴＥ近隣に関するどの情報をも含んでいない場合、ＧＭＳネットワークが、その近隣にある（新たな）ＬＴＥネットワークに関する情報をブロードキャストしないことをも示しうる。ＵＥは、その後、ＬＴＥサービスを求めて探索するために、提案された高い優先度のＲＡＴ探索を利用しうる。
【００６０】
ＬＴＥ近隣のセル情報を含むＳＩ２Ｑメッセージが存在することは、ＵＥ３０２が、本明細書に記載された周期的なスキャン技術の代わりに、規格ベースのＧＳＭ−ＬＴＥ再選択手順を利用しうることを示しうる。１つの態様では、信号検出器３１８は、それにしたがって、周期的なスキャン機能をディセーブルするように構成されうる。例えば、ＬＴＥ近隣が現在ブロードキャストされていることをＵＥが知った場合、ＵＥは、本明細書に記載されているように、周期的なスキャン機能をディセーブルしうる。そして、別のＲＡＴ（例えば、ＬＴＥ）に切り換えるか否かを決定するために、このブロードキャストされた情報に依存しうる。
【００６１】
いくつかのシナリオでは、ＬＴＥセルは、ＵＥが現在キャンプされているＧＳＭセルよりも高いＲＡＴ優先度であるように構成されうる。このケースでは、ＵＥが、本明細書に記載された技術を利用する周期  的なスキャンを実行し、ＬＴＥセルを発見した場合、ＬＴＥセルからＧＳＭセルへの移行が生じる可能性が高くなりうる。しかしながら、ＬＴＥセルの信号強度が弱い一方、ＧＳＭセルの信号強度が強い場合、ＧＳＭからＬＴＥへの周期的な探索およびＬＴＥサービス選択がブランドに実行されているのであれば、ＵＥは、ＬＴＥネットワークからＧＳＭネットワークへと戻りうる。これは、ＵＥがＬＴＥセルとＧＳＭセルとの間を行き来する（例えば、ピン・ポンする）「ピン・ポン・シナリオ」として見られうる。ある態様によれば、ＬＴＥセルからＧＳＭセルへといつ再選択するのかを判定するためにＵＥによって使用される基準が決定論的であると仮定すると、ＵＥは、ＧＳＭセルにキャンプ・オンされている間で、かつ、ＬＴＥ  ＲＡＴにおけるサービスを求めてスキャンしている間に、ＬＴＥセルからＧＳＭセルへの将来の移行の可能性を評価しうる。言い換えれば、ＵＥは、ＬＴＥセルを再選択する前であって、かつ、ＧＳＭセルにキャンプ・オンされている間に、将来のＬＴＥからＧＳＭへの移行のセル再選択基準を事前評価しうる。
【００６２】
態様によれば、ＵＥは、ＵＥが第２のＲＡＴに以前にキャンプ・オンされていた場合に収集され格納されたシステム情報に基づいて、セル再選択基準を評価するように構成されうる。ある態様によれば、キャッシュされたシステム情報は、１または複数のシステム情報ブロック（ＳＩＢ）タイプ・メッセージ（例えば、ＳＩＢ１、ＳＩＢ３、およびＳＩＢ７）の１または複数のＲＡＴ間セル再選択パラメータを含みうる。
【００６３】
システム情報（ＳＩ）は、セル特有のパラメータおよびネットワーク特有のパラメータからなりうる。これらがブロードキャストされて、ＵＥは、ネットワークに正しく接続できるようになる。システム情報は、おのおのが、機能的に関連しているパラメータのセットを含んでいる異なるタイプのシステム情報ブロック（ＳＩＢ）へ構築されうる。例として、ＳＩＢタイプ１（ＳＩＢ１）は、ＮＡＳシステム情報のみならず、アイドル・モードおよび接続モードにおいて使用されるべきＵＥタイマおよびカウンタをも含みうる。ＳＩＢタイプ３（ＳＩＢ３）は、セル選択および再選択のためのパラメータを含みうる。ＳＩＢタイプ７（ＳＩＢ７）は、高速変化パラメータＵＬ干渉および動的持続レベルを含みうる。
【００６４】
前述したように、ＵＥは先ず、第１のセルが、第１のＲＡＴを利用する第１のセルから、第２のＲＡＴを利用するセルへの移行をサポートしない（例えば、第１のセルは、近隣のＬＴＥセルを通知しない場合がありうる）と判定しうる。ある態様によれば、ＵＥは、第１のセルからの信号（例えば、ＳＩ２Ｑメッセージ）を受信することに基づいて、第１のセルはＲＡＴ間移行をサポートしないと判定しうる。
【００６５】
ある態様の場合、ＵＥは、設定可能な周期に基づいて、第２のＲＡＴを利用する１または複数のセルを求めて周期的にスキャンしうる。ある態様によれば、スキャン周期は、第２のＲＡＴに関連するサービスが発見されない場合には、バック・オフするように構成されうる。ある態様によれば、この評価の周期はまた、第２のＲＡＴのサービスのレベルが不十分であることが知られた場合にもバック・オフされうる。
【００６６】
図６は、本開示のある態様にしたがうＬＴＥ有効通信範囲およびＧＳＭ有効通信範囲のトポロジ６００の例を図示する。図示されるように、トポロジ６００は、ＧＳＭ基地局（“ＧＳＭ  ＢＳ−１”）によって確立されたＧＳＭセル６０２にキャンプされたＵＥ６１０を含む。ある態様によれば、ＵＥ６１０は、ＬＴＥサービスを求める周期的なスキャンを開始しうる。図示されるように、ＵＥ６１０は、ＬＴＥ  ｅノードＢ６１４，６１６，６１８（“ＬＴＥ  ｅＮＢ１”，“ＬＴＥ  ｅＮＢ２”，および“ＬＴＥ  ｅＮＢ３”）によって確立された近隣ＬＴＥセル６０４，６０６，６０８を発見しうる。
【００６７】
態様によれば、ＧＳＭのための、ＵＥ６１０のラジオ・リソース管理（ＲＲ）構成要素は、ＬＴＥセル６０４からのセル再選択のための基準を事前評価することによって、ＬＴＥセル６０４へ切り換えるか否かを判定しうる。ここでは、サービス提供ＧＳＭセル６０２への周期的なスキャンの間に、ＬＴＥサービスが発見される（例えば、ＧＳＭセル６０２にキャンプ・オンしている間にＬＴＥセル６０４からＧＳＭセル６０２へのセル再選択のための基準を評価する）。ある態様によれば、ＵＥ６１０のＬＴＥスタックに一般に利用可能なシステム情報は、事前評価を実行するためにＵＥ６１０のＧＳＭ  ＲＲに利用可能とされうる。それゆえ、ある態様によれば、ＵＥ６１０のＲＲは、ＬＴＥセル６０４，６０６，６０８との以前の接続の間に収集されたシステム情報ブロック（ＳＩＢ）値を格納しているＵＥのローカル・キャッシュ６２０にアクセスするように構成されうる。図示されるように、ローカル・キャッシュ６２０は、ｅＮＢ１，ｅＮＢ２，およびｅＮＢ３によって確立されたＬＴＥセルへの以前の訪問から収集された、ＬＴＥセルのおのおのからのＳＩＢ１，ＳＩＢ３，およびＳＩＢ７のコンテンツを含む。
【００６８】
ある態様によれば、ＵＥ６１０のＧＳＭ  ＲＲは、ローカル・キャッシュ６２０（例えば、ローカル・メモリ３０６）から、キャッシュされている複数のセル再選択パラメータを検索しうる。１つの実施では、キャッシュされている複数のセル再選択パラメータは、限定される訳ではないが、ＰＬＭＮ内のセル（例えば、ＬＴＥセル）を識別する数を備える（ＳＩＢ１からの）セル・アイデンティティ・パラメータと、キャンプに適していると考えられるようにＬＴＥセルがＵＥよって受信されねばならない最小信号強度を備える（ＳＩＢ１からの）ＱＲｘＬｅｖＭｉｎパラメータと、ＰＬＭＮに通常キャンプしている間に、高い優先度のＰＬＭＮを求める周期的な探索の結果として考慮されうるＱＲｘＬｅｖＭｉｎ＞パラメータに対する信号オフセットを備える（ＳＩＢ１からの）ＱＲｘＬｅｖＭｉｎＯｆｆｓｅｔパラメータと、ＵＥがセルにおいて使用することを許可されている最大送信電力を備えるＰｍａｘパラメータと、サービス提供セルにキャンプ・オンするために満たされねばならない最小信号レベルを備える（ＳＩＢ３からの）しきい値（例えば、ＴｈｒｅｓｈｏｌｄＳｅｒｖｉｎｇＬｏｗ）と、低い優先度のＲＡＴ間セルの信号強度が、適切なセル再選択ターゲットを超えると考えられうる最小値を備える（ＳＩＢ７からの）信号強度しきい値（例えば、ＴｈｒｅｓｈｏｌｄＬｏｗ）と、を含む。その他のセル再選択パラメータが、本開示のある態様にしたがって利用されうることが考慮される。
【００６９】
ある態様によれば、ＵＥ６１０は、高い優先度のＲＡＴセル（例えば、ＬＴＥセル）にキャンプ・オンされている場合には常に、前述した情報を用いてローカル・キャッシュ６２０を更新するように構成されうる。ある態様によれば、ＵＥは、ＬＴＥセルを発見すると、セルにおいてブロードキャストされた、少なくとも、ＳＩＢＩと、マスタ情報ブロック（ＭＩＢ）を読み取りうる。さらに、ＳＩＢ１が受信されるのをＵＥが待っている間に、ＳＩＢ３およびＳＩＢ７が受信された場合、キャッシュが適切に更新されうる。１つの実施では、ＵＥは、発見されたＬＴＥセルの信号強度を使用し、さらに、利用可能であれば、発見されたＬＴＥ  ｅノードＢによってブロードキャストされたＳＩＢの最新のコンテンツを使用しうる。格納されたＳＩＢ情報が利用可能ではないのであれば、ＵＥは、セル再選択基準の事前評価を実行しない場合がありうる。
【００７０】
ある態様によれば、ＵＥ６１０は、発見されたＬＴＥセルの信号強度を、ローカル・キャッシュ６２０から検索されたように、そのセルによって通知されたＴｈｒｅｓｈｏｌｄＳｅｒｖｉｎｇＬｏｗと比較することによって、事前評価を実行するように構成されうる。
【００７１】
ある態様の場合、ＵＥ６１０が、セル再選択基準を事前評価することができないのであれば、ＵＥ６１０は、（例えば、第２のセルまたはその他の近隣セルに関連付けられた）システム情報をオーバ・ザ・エアで受信し、このシステム情報を、キャッシュするように構成されうる。これによって、キャッシュされたシステム情報がその後の事前評価において使用されるようになる。一方、ＵＥ６１０がＬＴＥセルからＧＳＭセルへの再選択基準を事前評価することができないのであれば、ＵＥ６１０は、単純に、ＬＴＥ  ｅノードＢ（例えば、ＬＴＥ  ｅＮＢ１  ６１４）を選択し、キャンプ・オンしうる。ＵＥ６１０は、キャンプされると、前述した情報（例えば、ＳＩＢ）を収集し、これらをローカル・キャッシュ６２０に追加しうる。態様によれば、ＵＥ６１０がＧＳＭセル６０２を再選択した場合、この収集された情報は、将来のピン・ポン・シナリオを阻止することを支援することが可能でありうる。
【００７２】
ある態様によれば、発見されたＬＴＥセルから、サービス提供しているＧＳＭセルへのセル再選択のための基準事前評価が実行できなかった場合、または、実行されなかった場合、または、結果として得られたＬＴＥからＧＳＭへの再選択基準が満足されなかった場合、ＵＥは、高い優先度のＲＡＴセルを選択し、ハンドオーバしうる。そうではない場合、ＵＥは、サービス提供しているＧＳＭセルに残り、前述した、高い優先度のＲＡＴ探索タイマを再起動しうる。
【００７３】
ＵＥ６１０のＧＳＭ  ＲＲによって実行される事前評価は、セル再選択基準の概算でありうることが理解される。なぜなら、この基準は、セル再選択手順にしたがって、Ｔｒｅｓｅｌｅｃｔの持続時間中は、実際には評価されない（例えば、ＲＡＴ間セル再選択ターゲットを制限する持続期間は、セル再選択が実行されるようにターゲットとなるように制限し続けなければならない）からである。しかしながら、ＵＥ６１０が、サービス提供しているＧＳＭセルからＬＴＥセルへ再選択するのであれば、事前評価されたセル再選択基準は、ピン・ポン・シナリオの可能性に理解を与えるために利用されうることがさらに理解される。
【００７４】
ある態様の場合、ＵＥは、発見されたセル（例えば、ＬＴＥセル）の信号強度を、キャッシュに格納されうるサービス提供セルのための許容可能な最低の信号強度の値（例えば、ＴｈｒｅｓｈｏｌｄＳｅｒｖＬｏｗ）と比較することによって、より簡単な形式での、セル再選択の事前評価を実行しうる。
【００７５】
さらに、ある態様によれば、ＵＥは、規格に記載されているように、高い優先度のＰＬＭＮスキャンを用いて競合条件を取り扱うことと同じ方式で、セル再選択と、モバイル発信（ＭＯ）またはモバイル終端（ＭＴ）コール発信と、周期的な高い優先度のＲＡＴ探索との間の競合条件を取り扱いうる。
【００７６】
図７は、本開示のある態様にしたがって、高い優先度のＲＡＴ探索を利用する通信システム７００の例を例示する。通信システム７００は、基地局（例えば、ｅノードＢ）７１０およびＵＥ７２０を含む。基地局は、ＵＥと通信するために第１のＲＡＴを使用しうる。基地局は、ＵＥにパケットを送信する送信機モジュール７１２と、ＵＥから受信したパケットを処理する処理モジュール７１４と、ＵＥからパケットを受信する受信機モジュール７１６と、を含む。ＵＥ７２０は、受信機モジュール７２２を用いて１または複数のパケットを受信する。処理モジュール７２４は、基地局７１０から受信したパケットを処理する。さらに、処理モジュールは、基地局７１０が近隣における新たなＲＡＴ（例えば、高い優先度のＲＡＴ）に関する何れかかの情報を送信したか否かを認識しうる。基地局７１０が、高い優先度のＲＡＴを使用しうる近隣セルに関するどの情報をも通知していないとＵＥが判定した場合には、処理モジュールは、受信機７２２に対して、高い優先度のＲＡＴからの信号を求めてスキャンするように通知しうる。ＵＥが、その近傍において、高い優先度の第２のＲＡＴを発見すると、処理モジュールは、第１のＲＡＴにキャンプ・オンされたまま、第２のＲＡＴから第１のＲＡＴへの再選択基準を再評価しうる。その後、処理モジュールは、第２のＲＡＴを利用する第２の基地局（図示せず）へハンドオーバするか否かを決定しうる。送信機モジュール７２６は、第２の基地局へハンドオーバするためのハンドオーバ手順を開始するために、第２の基地局へ信号を送信しうる。
【００７７】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。例えば、探索する手段、受信する手段、および／または、スキャンする手段は、例えば、図２に示される受信機システム２５０の受信機ユニット２５４ａのような受信機を備えうる。ハンドオーバを実行する手段は、例えば送信機ユニット２５４ｒのような送信機を備えうる。評価する手段、判定する手段、決定する手段、格納する手段、および／または、修正する手段は、例えば、図２に例示された受信機システム２５０のプロセッサ２７０のような１または複数のプロセッサを含みうる処理システムを備えうる。これらの手段は、図３の送信機３１０、受信機３１２、信号検出器３１８、および／または、ＤＳＰ３２０からなる任意の適切な組み合わせを備えうる。
【００７８】
当業者であれば、情報および信号は、さまざまな異なる技術および技法のうちの何れかを用いて表されうることを理解するであろう。例えば、前述した説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７９】
当業者であればさらに、本明細書で開示された態様に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８０】
本明細書で開示された態様に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８１】
本明細書で開示された態様に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８２】
開示された態様の前述された説明は、いかなる当業者であっても、本開示を製造または使用できるように適用される。これらの態様へのさまざまな変形は、当業者に容易に明らかであって、本明細書で定義された一般原理は、本開示の精神または範囲から逸脱することなく、他の態様に適用されうる。このように、本開示は、本明細書で示された態様に限定されるものではなく、本明細書で開示された原理および新規な特徴と一致した最も広い範囲に相当することが意図されている。
なお、以下に、出願当初の特許請求の範囲に記載された発明を付記する。
［発明１］
第１のセルにおいて第１のラジオ・アクセス技術（ＲＡＴ）を利用するユーザ機器による無線通信のための方法であって、
第２のＲＡＴを利用する近隣セルに関する情報を前記第１のセルが通知していないのであれば、１または複数の近隣セルにおいて前記第２のＲＡＴによるサービス有効通信範囲を求めて探索することと、
前記第２のＲＡＴを利用する第２のセルを識別することと、
前記第１のセルにキャンプ・オンしている間、前記第２のセルから前記第１のセルへのセル再選択のための基準を評価することと、
前記評価に基づいて、前記第２のセルに切り換えるか否かを決定することと、
を備える方法。
［発明２］
前記評価することは、前記セル再選択のための基準が満足されているか否かを判定することを備え、
前記決定することは、前記セル再選択のための基準が満足されているとの判定に応じて、前記第２のセルに切り換えることを備える、発明１に記載の方法。
［発明３］
前記評価することは、前記第２のＲＡＴを利用する１または複数のセルに接続されている間に収集された格納されたシステム情報に基づいて評価することを備える、発明１に記載の方法。
［発明４］
前記格納されたシステム情報は、１または複数のシステム情報ブロック（ＳＩＢ）から受信された１または複数のパラメータを備える、発明３に記載の方法。
［発明５］
前記１または複数の近隣セルにおいて前記第２のＲＡＴによるサービス有効通信範囲を求めて探索することは、設定可能な周期に基づいて、前記１または複数の近隣セルにおける前記第２のＲＡＴによるサービス有効通信範囲を求めて周期的にスキャンすることを備える、発明１に記載の方法。
［発明６］
前記第２のＲＡＴのためのサービス有効通信範囲が発見されたか否かに基づいて、前記周期を修正することをさらに備える、発明５に記載の方法。
［発明７］
前記第２のＲＡＴを利用する１または複数の近隣セルに関する情報を、前記第１のセルが通知したか否かを判定することをさらに備える、発明１に記載の方法。
［発明８］
システム情報２クゥオータ（ＳＩ２Ｑ）メッセージを備える信号を前記第１のセルから受信することと、
前記第２のＲＡＴを利用するセルに関する何れかの情報が、ＳＩ２Ｑメッセージに存在するか否かを判定することと、
をさらに備える発明７に記載の方法。
［発明９］
前記評価することはさらに、前記第２のセルの信号強度が、前記第２のセルにキャンプ・オンするための最小信号強度を表す、格納されたしきい値を超えているか否かを判定することを備え、
前記しきい値は、前記第２のセルによって以前に通知されている、発明１に記載の方法。
［発明１０］
前記セル再選択のための基準が評価されることができないと判定することと、
前記第２のセルへハンドオーバするためハンドオーバ手順を実行することと、
前記第２のセルに関連付けられたシステム情報からの１または複数のパラメータをメモリに格納することと
をさらに備え、
前記格納されたシステム情報は、前記セル再選択のための基準のその後の評価の際に使用される、発明１に記載の方法。
［発明１１］
前記セル再選択のための基準が評価されることができないと判定することと、
前記第２のセルに関連付けられたシステム情報を、オーバ・ザ・エアによって受信することと、
前記システム情報を格納することと
をさらに備え、
前記格納されたシステム情報は、後の評価の際に使用される、発明１に記載の方法。
［発明１２］
前記第１のＲＡＴは、グローバル移動体通信システム（ＧＳＭ）規格を備え、
前記第２のＲＡＴは、ロング・ターム・イボリューション（ＬＴＥ）規格を備える、発明１に記載の方法。
［発明１３］
前記第２のＲＡＴは、前記ユーザ機器のサービス提供パブリック・ランド・モバイル・ネットワーク（ＰＬＭＮ）または等価ＰＬＭＮの一部である、発明１に記載の方法。
［発明１４］
第１のセルにおいて第１のラジオ・アクセス技術（ＲＡＴ）を利用する無線通信のための装置であって、
第２のＲＡＴを利用する近隣セルに関する情報を前記第１のセルが通知していないのであれば、１または複数の近隣セルにおいて前記第２のＲＡＴによるサービス有効通信範囲を求めて探索する手段と、
前記第２のＲＡＴを利用する第２のセルを識別する手段と、
前記第１のセルにキャンプ・オンしている間、前記第２のセルから前記第１のセルへのセル再選択のための基準を評価する手段と、
前記評価に基づいて、前記第２のセルに切り換えるか否かを決定する手段と、
を備える装置。
［発明１５］
前記評価する手段は、前記セル再選択のための基準が満足されているか否かを判定する手段を備え、
前記決定する手段は、前記セル再選択のための基準が満足されているとの判定に応じて、前記第２のセルに切り換える手段を備える、発明１４に記載の装置。
［発明１６］
前記評価する手段はさらに、前記第２のＲＡＴを利用する１または複数のセルに接続されている間に収集された格納されたシステム情報に基づいて評価する手段を備える、発明１４に記載の装置。
［発明１７］
前記格納されたシステム情報は、１または複数のシステム情報ブロック（ＳＩＢ）から受信された１または複数のパラメータを備える、発明１６に記載の装置。
［発明１８］
前記１または複数の近隣セルにおいて前記第２のＲＡＴによるサービス有効通信範囲を求めて探索する手段は、設定可能な周期に基づいて、前記１または複数の近隣セルにおける前記第２のＲＡＴによるサービス有効通信範囲を求めて周期的にスキャンする手段を備える、発明１４に記載の装置。
［発明１９］
前記第２のＲＡＴのためのサービス有効通信範囲が発見されたか否かに基づいて、前記周期を修正する手段をさらに備える、発明１８に記載の装置。
［発明２０］
前記第２のＲＡＴを利用する１または複数の近隣セルに関する情報を、前記第１のセルが通知したか否かを判定する手段をさらに備える、発明１４に記載の装置。
［発明２１］
システム情報２クゥオータ（ＳＩ２Ｑ）メッセージを備える信号を前記第１のセルから受信する手段と、
前記第２のＲＡＴを利用するセルに関する何れかの情報が、ＳＩ２Ｑメッセージに存在するか否かを判定する手段と、
をさらに備える発明２０に記載の装置。
［発明２２］
前記評価する手段はさらに、前記第２のセルの信号強度が、前記第２のセルにキャンプ・オンするための最小信号強度を表す、格納されたしきい値を超えているか否かを判定する手段を備え、
前記しきい値は、前記第２のセルによって以前に通知されている、発明１４に記載の装置。
［発明２３］
前記セル再選択のための基準が評価されることができないと判定する手段と、
前記第２のセルへハンドオーバするためハンドオーバ手順を実行する手段と、
前記第２のセルに関連付けられたシステム情報からの１または複数のパラメータをメモリに格納する手段と
をさらに備え、
前記格納されたシステム情報は、前記セル再選択のための基準のその後の評価の際に使用される、発明１４に記載の装置。
［発明２４］
前記セル再選択のための基準が評価されることができないと判定する手段と、
前記第２のセルに関連付けられたシステム情報を、オーバ・ザ・エアで受信する手段と、
前記システム情報を格納する手段と
をさらに備え、
前記格納されたシステム情報は、その後の評価の際に使用される、発明１４に記載の装置。
［発明２５］
前記第１のＲＡＴは、グローバル移動体通信システム（ＧＳＭ）規格を備え、
前記第２のＲＡＴは、ロング・ターム・イボリューション（ＬＴＥ）規格を備える、発明１４に記載の装置。
［発明２６］
前記第２のＲＡＴは、前記装置のサービス提供パブリック・ランド・モバイル・ネットワーク（ＰＬＭＮ）または等価ＰＬＭＮの一部である、発明１４に記載の装置。
［発明２７］
第１のセルにおいて第１のラジオ・アクセス技術（ＲＡＴ）を利用するユーザ機器による無線通信のためのコンピュータ・プログラム製品であって、
格納された命令群を有するコンピュータ読取可能な媒体を備え、
前記命令群は、１または複数のプロセッサによって実行可能であり、前記命令群は、
第２のＲＡＴを利用する近隣セルに関する情報を第１のセルが通知していないのであれば、１または複数の近隣セルにおいて前記第２のＲＡＴによるサービス有効通信範囲を求めて探索するための命令群と、
前記第２のＲＡＴを利用する第２のセルを識別するための命令群と、
前記第１のセルにキャンプ・オンしている間、前記第２のセルから前記第１のセルへのセル再選択のための基準を評価するための命令群と、
前記評価に基づいて、前記第２のセルに切り換えるか否かを決定するための命令群と
を備える、コンピュータ・プログラム製品。
［発明２８］
第１のセルにおいて第１のラジオ・アクセス技術（ＲＡＴ）を利用する無線通信のための装置であって、
第２のＲＡＴを利用する近隣セルに関する情報を前記第１のセルが通知していないのであれば、１または複数の近隣セルにおいて前記第２のＲＡＴによるサービス有効通信範囲を求めて探索し、
前記第２のＲＡＴを利用する第２のセルを識別し、
前記第１のセルにキャンプ・オンしている間、前記第２のセルから前記第１のセルへのセル再選択のための基準を評価し、
前記評価に基づいて、前記第２のセルに切り換えるか否かを決定する、
ように構成された少なくとも１つのプロセッサと、
前記少なくとも１つのプロセッサに接続されたメモリと、
を備える装置。
【図１】
0005774781.tif 000002
【図２】
0005774781.tif 000003
【図３】
0005774781.tif 000004
【図４】
0005774781.tif 000005
【図５】
0005774781.tif 000006
【図６】
0005774781.tif 000007
【図７】
0005774781.tif 000008